(57)【要約】  平面状の天面部、前後左右を囲む平面視矩形状の側面部および側面部の一つの角から天面部に渡って切り欠かれた段差部を含む筐体と、先端に電源プラグを有するコードを引出し可能に筐体に収容するコード収容部と、コードを介して電源の供給を受けて動作する塵埃吸引部とを備え、段差部は、収容されたコードを引き出す開口部が形成され、コード収容部は、コードが収容された状態で電源プラグの先端部が平面視で側面部から外側へ飛び出ず、側面視で天面部から上方へ飛び出ずに切り欠きの領域内に収まるように電源プラグを収納する電気掃除機。
2017212680.tif 000002
【特許請求の範囲】
【請求項１】
平面状の天面部、前後左右を囲む平面視矩形状の側面部および前記側面部の一つの角から前記天面部に渡って切り欠かれた段差部を含む筐体と、
先端に電源プラグを有するコードを引出し可能に前記筐体に収容するコード収容部と、
前記コードを介して電源の供給を受けて動作する塵埃吸引部とを備え、
前記段差部は、収容されたコードを引き出す開口部が形成され、
前記コード収容部は、前記コードが収容された状態で前記電源プラグの先端部が平面視で前記側面部から外側へ飛び出ず、側面視で前記天面部から上方へ飛び出ずに前記切り欠きの領域内に収まるように電源プラグを収納する電気掃除機。
【請求項２】
前記天面部は、矩形状であるが後方の一つの角に切欠部のある形状の稜線を有し、
前記段差部は、上端が前記切欠部で天面と交わる崖部と、その崖部の下端に連なり前記側面部と交わる底部からなり、前記崖部に前記コードを引き出す開口部が形成されている請求項１に記載の電気掃除機。
【請求項３】
前記開口部は、底部を介して前記筐体の左右何れかの側面に沿う方向の崖部に形成される請求項２に記載の電気掃除機。
【請求項４】
前記開口部は、底部を介して前記筐体の後側の側面に沿う方向の崖部に形成される請求項２に記載の電気掃除機。
【請求項５】
前記段差部は、前記崖部が側方部、前方部および後縁壁部からなり、前記側方部は底部を介して前記筐体の左右何れかの側の側面に沿う方向に延び、前記前方部は底部を介して前記筐体の後側の側面に沿う方向に延び、前記後縁壁部は前記側方部から前記筐体の後側の側面に沿って張り出して前記側面に向けて湾曲し終端する請求項２に記載の電気掃除機。
【請求項６】
前記側面部に係る矩形は、少なくとも段差部のある角が角丸である請求項１〜５の何れか一つに記載の電気掃除機。
【発明の詳細な説明】
【技術分野】
【０００１】
この発明は、電気掃除機に関し、より詳細には矩形状であるが後方の角に切欠部のある天面部を含む筐体と、前記切欠部に電源プラグの少なくとも先端部が露出するようにコードを収容するコード収容部を備えた電気掃除機に関する。
【背景技術】
【０００２】
電源コードをより容易に本体から引き出せるように、あるいはコードの出口部から出る排気による塵埃の舞い上げを抑制するように、様々な工夫がなされている（例えば、特許文献１−３参照）。
【先行技術文献】
【特許文献】
【０００３】
【特許文献１】特開２０１４−１６８６０６号公報
【特許文献２】特開２００４−１６６８６４号公報
【特許文献３】特開２０００−１０７１０８号公報
【発明の概要】
【発明が解決しようとする課題】
【０００４】
高齢化社会の到来や技術の進歩を背景に、掃除機の更なる小型軽量化が望まれている。それに伴って、コードの収容についても単純な構成で、ユーザーが操作し易く、塵埃の舞い上げを抑制できる構成が望まれている。
この発明は、以上のような事情を考慮してなされたものであって、ユーザーがコードを容易に引き出すことができ、出口部からの排気による塵埃の舞い上げを抑制でき、転倒しても電源プラグが床面を傷付けない電気掃除機を提供するものである。
【課題を解決するための手段】
【０００５】
この発明は、平面状の天面部、前後左右を囲む平面視略矩形の側面部および前記側面部の一つの角から前記天面部に渡って切り欠かれた段差部を含む筐体と、先端に電源プラグを有するコードを引出し可能に前記筐体に収容するコード収容部と、前記コードを介して電源の供給を受けて動作する塵埃吸引部とを備え、前記段差部は、収容されたコードを引き出す開口部が形成され、前記コード収容部は、前記コードが収容された状態で前記電源プラグの先端部が平面視で前記側面部から外側へ飛び出ず、側面視で前記天面部から上方へ飛び出ずに前記切り欠きの領域内に収まるように電源プラグを収納する電気掃除機を提供する。
【発明の効果】
【０００６】
この発明による電気掃除機において、コード収容部は、コードが収容された状態で電源プラグの先端部が平面視で側面部から外側へ飛び出ず、側面視で天面部から上方へ飛び出ずに切り欠きの領域内に収まるように電源プラグを収納するので、ユーザーがコードを容易に引き出すことができ、収容されたコードを引き出すための開口部から排出される空気が床面上の塵埃を舞い上げることを抑制でき、掃除機本体が転倒しても電源プラグが床面を傷付けない。
即ち、天面の角部にある切欠部に電源プラグの少なくとも先端部が露出しているので、ユーザーは電源プラグを見つけ易く、また前記切欠部に露出する電源プラグをつかんでコードを容易に引き出せる。【０００７】
また、コードを引き出す開口部が天面付近の段差部の崖部に形成されて、その開口部から床面へ向かう方向は段差部の底部に遮られているので開口部から排出される空気が床面上の塵埃を舞い上げることを抑制できる。
さらに、開口部から段差部に露出した電源プラグは、段差部の底部と側面部とが交わる線より内側にありかつ切欠部の稜線より下側にあるので、側面部が床面と接する方向に掃除機本体が転倒してもあるいは天面部が床面と接する方向に掃除機本体が転倒しても電源プラグが床面を傷つけるのを防止できる。さらに、前記筐体の後側の側面である後縁が床面と接するように掃除機本体が立った状態で収納される場合に電源プラグが床面を傷つけるのを防止できる。【０００８】
また、開口部が段差部の底部でなく崖部に形成されるので、切出し部の上方から導電物が落下した場合でも、段差部の底部に遮られて前記導電物が筐体内に入るのを防止できる。よって、短絡による発火・発煙等の事故や故障を回避できる。
【図面の簡単な説明】
【０００９】
【図１Ａ】この発明の実施形態としての電気掃除機を右上後方から見た外観を示す斜視図である。
【図１Ｂ】図１Ａに示す電気掃除機の段差部を拡大して示す説明図である。
【図２】図１Ａに示す電気掃除機の後側が床面と対するように立てた状態を電気掃除機の天面側から見た外観を示す説明図である。
【図３Ａ】図１Ａに示す電気掃除機を後方から見た外観を示す背面図である。
【図３Ｂ】図１Ａに示す電気掃除機を右方から見た外観を示す右側面図である。
【図４】図１Ａに示す電気掃除機の概略構成を示す分解斜視図である。
【図５Ａ】図１Ａに示す電気掃除機を、上方から見た外観を示す平面図である。
【図５Ｂ】図５ＡのＡ−Ａ矢視断面図である。
【図６】この発明の異なる実施形態としての電気掃除機の平面図である。（実施の形態２）
【図７Ａ】図６に示す電気掃除機の背面図である。（実施の形態２）
【図７Ｂ】図６に示す電気掃除機の右側面図である。（実施の形態２）
【発明を実施するための形態】
【００１０】
以下、図面を用いてこの発明をさらに詳述する。なお、以下の説明は、すべての点で例示であって、この発明を限定するものと解されるべきではない。
【００１１】
（実施の形態１）
≪電気掃除機の外観≫
この実施形態に係る電気掃除機の外観について述べる。
図１Ａは、この発明の実施形態としての電気掃除機を右上後方から見た外観を示す斜視図である。図１Ｂは、図１Ａに示す電気掃除機の段差部を拡大して示す図である。
図２は、図１Ａに示す電気掃除機の後側が床面と対するように立てた状態を電気掃除機の天面側から見た外観を示す図である。図３Ａは図１Ａに示す電気掃除機を後方から見た外観を、図３Ｂは右方から見た外観をそれぞれ示す図である。
【００１２】
これらの図に示すように、電気掃除機１０の筐体は、大別して上面が解放された箱状の下部筐体１１と、天面の一部および取っ手１５を構成する上部筐体から構成される。上部筐体１４は、平面視略矩形であって略平坦な、即ち、平面状の天面部の前方に取っ手１５が配置されている。天面部の前方は、取っ手１５の上端と左右の稜線がなだらかにつながり、それらの稜線は取っ手１５および天面部をあわせた全体として前方がやや狭まった角丸矩形の線を描いている。
天面部は、前方の領域がダストカバー１８で構成され、後方の領域が上部筐体１４で構成される。ただし、天面部の後方右側には、角部が切り欠かれた形状の切欠部３５がある。切欠部３５によって切り欠かれた天面部の一角は、下方に没して段差部６０を形成している。段差部６０には、電源プラグ５２の先端部が露出している。
【００１３】
天面部の前端は、取っ手１５につながる左右の稜線から内側に分岐しつつ下方へ曲線を描き、平面視で直線状の前端部稜線につながっている。
上部筐体１４の左右の側面部は、前方の取っ手１５の側面部と一体感を醸し出すようにつながって下方へやや膨らんでいる。上部筐体の側面部は、前後左右をあわせた全体として平面視で矩形を基調としている。
下部筐体１１の前方の側面部は、上端が下端よりも前方に位置するように傾斜しており、その中央部には、吸引ホースの接続パイプ２１が接続される本体吸込口２０が配置されている。前方の側面部の上端は、天面の前端につながっている。なお、図示を省略しているが、接続パイプ２１の先端には、吸引ホースの一端が接合されており、その吸引ホースの他端に、吸引ノズルや延長パイプを介した吸込口体が接続される。
【００１４】
下部筐体１１の左右の側面部は、上端が下端よりもやや広がって幅広になっており、後端部には主車輪２５を取り付ける車輪取付部が形成されている。車輪取付部は、取り付けられた主車輪２５の外表面と下部筐体１１の側面部とがほぼ面一になるように若干内側に凹んでいる。
下部筐体の後方の側面部には、凸状の後縁脚部１６が上下左右の４カ所に形成されている。
下部筐体１１の側面部は、部分的に凹凸はあるものの全体として平面視で矩形を基調としている。ただし、段差部６０が形成された部分は、角部の先端が切り落とされた形状をしている。
下部筐体の前方底部には、底面と垂直な軸周りに回動自在の補助車輪２６が取り付けられている。
【００１５】
図３Ａおよび図３Ｂに示す状態で、ユーザーが取っ手１５を持って電気掃除機１０の本体前方を床面Ｆから持上げると、主車輪２５の車軸を支点に電気掃除機１０の本体前方が持ち上がって、底部に近い方の後縁脚部１６の先端が床面Ｆに接し、その部分を支点に電気掃除機１０の本体が回動する。主車輪２５は床面Ｆから浮き上がる。天面に近い方の後縁脚部１６が床面Ｆに接すると図２に示すような立った状態になって安定する。
図２の状態で、ユーザーは取っ手１５を持って電気掃除機１０を床面Ｆから持上げ、収納場所から部屋へ、部屋から部屋へあるいは部屋から収納場所へと運ぶことができる。
【００１６】
≪切欠部および段差部の形状≫
天面部の後方右側にある切欠部３５は、天面の稜線の一部を構成している。切欠部３５の稜線は、その一端が天面部の右側縁とほぼ直角に交わり、他端が天面部の後縁とほぼ直角に交わり、両者は約９０°曲がった曲線を介して接続されている。
切欠部３５の稜線から下方へ向けて、段差部６０の構成要素である崖部３１が形成されている。崖部３１は、下端で段差部６０の別の構成要素である底部３３に連なっている。
図１Ｂに示すように、崖部３１の一側方は、上部筐体１４の右方の側面である側縁部１４ａと交わっている。崖部３１のうち、上端の稜線が側縁部１４ａとほぼ直角に交わる部分を前方部３１ａとしている。上部筐体１４の後方の側面である後縁部１４ｂと上端の稜線がほぼ直角に交わる部分を側方部３１ｂとしている。崖部３１の前方部３１ａは、後縁部１４ｂと略平行であり、側方部３１ｂは側縁部１４ａと略平行である。前方部３１ａおよび後縁部１４ｂの下端は底部３３にそれぞれ連なる。
【００１７】
側方部３１ｂは、後縁部１４ｂの近くで略直角に曲がって後縁部１４ｂに沿って側縁部１４ａのある方へ伸びている。その部分を後縁壁部３１ｃとしている。後縁壁部３１ｃは、後縁部１４ｂに沿って伸びるが、緩やかに後縁部１４ｂへ接近し、後縁部１４ｂと交わる手前で終端する。また、側縁部１４ａに達する手前で終端する。よって、後縁壁部３１ｃの上端部は、平面視で台形を基調とした形状を有している。後縁部１４ｂが下方に行くにつれて広がり、後縁壁部３１ｃが下方で底部３３となだらかに連なるので、後縁壁部３１ｃの下端部は上端部と比べると後縁部１４ｂとの間が肉厚のまま終端しているが、基調は上端部と同様に台形である。
【００１８】
側方部３１ｂには、開口部３４が形成され、その開口部３４から電源プラグ５２の先端部が段差部６０に露出している。電源プラグ５２の先端は、側縁部１４ａがある右側方へ向いている。電源プラグ５２は、側縁部１４ａおよび後縁部１４ｂの何れからもはみ出すことなく、底部３３の上方に位置する。また、電源プラグ５２は、切欠部３５よりも上方へはみ出すことなく、天面部の上面より下方にある。
開口部３４は、その下端が底部３３の略水平な部分よりも高い位置に形成され、上端が崖部３１の上端よりも低い位置に形成されている。
底部３３は、崖部３１となだらかに連なって略水平に伸び、側縁部１４ａおよび後縁部１４ｂと交る。
【００１９】
図１Ａのように電気掃除機１０が床面上におかれた状態で、ユーザーが電気掃除機１０を見下ろすと、天面の切欠部に電源プラグ５２が露出しているので、容易に見つけることができる。しかも、角丸矩形を基調とする天面の一角だけが切り欠かれた部分に露出しているので、ユーザーは電源プラグ５２を認識し易い。
そして、上方から電源プラグ５２を掴んでコードを引き出すことができるので、コードを引き出す操作が容易である。また、天面の一角にある切欠部３５からコードが引き出せるので、右側方へ引き出すこともできるし、上方へ引き出すこともできるし、後方へ引き出すこともできるのでコードを引き出す操作の自由度が高い。
さらに、図２のように、後側が床面Ｆと対するように立てて置かれた状態でも、コードを引き出すことができる。
【００２０】
なお、平面視で開口部３４は隠れており、切欠部３５および電源プラグ５２の下方には崖部３１となだらかに連なる底面３３が見えている。よって、切欠部３５の上方から何かが落下しても、底面３３の部分に留まるか、底面３３からさらに側縁部１４ａへ転がって床面Ｆに落ち、開口部３４から筐体内部に異物が落ちることが生じにくいように考慮されている。
また、電源ボタン２９および巻取ボタン３０が天面部にあるので、これらのボタンをユーザーが認識し易く、ボタンの操作が容易である。
【００２１】
≪電気掃除機の内部構造≫
続いて、電気掃除機１０の内部構造について、分解斜視図を参照しながら説明する。図４は、図１Ａに示す電気掃除機の概略構成を示す分解斜視図である。また、図５Ａは図１Ａに示す電気掃除機を、上方から見た外観を示す平面図であり、図５Ｂは図５ＡのＡ−Ａ矢視断面図である。
【００２２】
図４に示すように、電気掃除機１０は、下部筐体１１の前部にパッキン１９を介して本体吸込口２０が取り付けられている。清掃の際、本体吸込口２０には、吸引ホースの一端部の接続パイプ２１が装着される。下部筐体１１の前部には、集塵室１１ａがある。図４に図示しない通気性の集塵袋が集塵室１１ａに装着される。本体吸込口２０から気流と共に吸い込まれた塵埃は、その集塵袋の内部に溜まる。集塵室１１ａの後側には、モータユニット４０が収容され、両者の間は気流を通す通気孔が形成された隔壁で隔てられている。
集塵袋を取り出せるように集塵室１１ａの上方の上部筐体１４は解放されている。そして、気密性を確保するダストパッキン１７を介して開閉可能なダストカバー１８が解放された部分を覆うことができるように取り付けられている。
【００２３】
モータユニット４０は、電動送風機４１、その前後に配置される防振ゴム４２ａ、４２ｂ、モーターケース４３および前フィルター４４を有する。
モーターケース４３は、下部筐体１１に固定され、防振ゴム４２ａ、４２ｂを介して電動送風機４１を支持する。
モータユニット４０の前部は、前側の防振ゴム４２ａおよび前フィルター４４を介して前記隔壁に密着している。上部には、電源スイッチ４６が取り付けられており、電源スイッチ４６の上端は、上部筐体１４の穴に下方から嵌められた電源ボタン２９に当接している。電源スイッチ４６は、押されるたびにオンおよびオフを繰り返すタイプのプッシュスイッチである。電源スイッチ４６がオンされると、電源プラグ５２を介して供給される電源によって電動送風機４１が作動する。
【００２４】
電動送風機４１は、作動すると前フィルター４４および前記隔壁の通気孔を介して集塵室１１ａの空気を吸い込み、その空気を後方へ吐き出す。集塵室１１ａは、下部筐体１１、上部筐体１４およびダストパッキン１７を介したダストカバー１８で遮蔽され、気密になっているので唯一の開口部である本体吸込口２０から集塵袋を介して外部の空気を吸い込む。
モータユニット４０の後方に、コードリール５１と排気フィルター５３とが配置されている。コードリール５１は、下部筐体１１に固定されている。排気フィルター５３は、下部筐体１１の後側の側面に形成された排気口１２を覆っている。
電動送風機４１の後方へ吐き出された空気は、コードリール５１を冷却し、排気フィルター５３を介して排気口１２から機外へ放出される。
なお、電動送風機４１から吐き出された空気の一部は、開口部３４から機外へ放出される。しかし、電動送風機４１の後方へ吐き出される空気が開口部３４へ達するまでの経路は屈折しているために空気の流れが抵抗を受け、開口部３４からの放出の勢いは弱くなる。さらに、電動送風機４１からみて開口部３４は上方の天面部付近にあるので、開口部３４からは上方へ空気が放出される。もし、下方へ向かう気流が開口部３４から放出されたとしても底部３３によって規制される。従って、開口部３４から放出された空気による床面上の塵埃の舞い上がりが抑制される。
【００２５】
コードリール５１には、バネの付勢力を利用してコードが巻き巻かれている。コードリール５１は、そのバネをロックするブレーキ機構を有している。ブレーキを解除すると、バネが解放され、付勢力でコードが巻き取られる。コードが奥まで巻き取られると先端の電源プラグが巻き取り口に当接して巻き取りが停止する。なお、巻き取り口の上端部には、回動自在のローラが取り付けられており、コードが上方へ引き出される場合そのローラに当接してスムーズに引き出される。
【００２６】
モーターケース４３の後方上部には、巻取レバー５５が取り付けられている。巻取レバー５５の一端は、上部筐体の孔に嵌め込まれて上下に移動可能な巻取ボタン３０の下端に当接している。巻取ボタン３０は、巻取ボタンバネ５６によって上方へ付勢されているが、上部筐体の穴に嵌め込まれた巻取ボタン３０の脚部の突起が上部筐体１４に当たることによって上限位置が規制される。巻取レバー５５の他端は、コードリール５１のブレーキ機構と係合している。
巻取ボタン３０が下方へ押し込まれると、巻取レバー５５の一端が下方へ移動し、支点を中心として他端が上方へ移動する。すると、コードリール５１のブレーキが解除される。ブレーキが解除されると、静止していたコードが巻き取られる。
【００２７】
コードホルダー３２は、段差部６０の底部３３をなす部材である。下部筐体１１にコードリール５１が固定され上方から上部筐体１４が取り付けられると、切欠部３５の下方の段差部６０に電源プラグ５２が露出した状態になる。その状態でコードホルダー３２を側方から差し入れて上部筐体１４に装着することによって、電源プラグ５２の下方に底部３３が配置される。
【００２８】
（実施の形態２）
実施の形態１において、電源プラグ５２は、先端が右側方へ向いている（図１Ａ〜５Ｂ参照）。それに対してこの実施形態における電気掃除機は、電源プラグ５２の先端が後側へ向くように構成されている。
図６は、この実施形態による電気掃除機の外観を示す平面図、図７Ａは背面図、図７Ｂは右側面図である。
【００２９】
図６〜図７Ｂに図示しないが、この実施形態においてコードリールは、回転軸が左右方向に向くようにして下部筐体１１に固定される。それに伴って、巻取ボタン３０の位置は、実施の形態１と異なっている。さらに、巻取ボタン３０との関係で操作上の統一感を持たせるように、電源ボタン２９の位置を実施の形態１から変更している。
ただし、巻取ボタン３０とコードリールのブレーキ解除機構とをリンクさせる機構を実施の形態１の巻取レバー５５から変更することによって、巻取ボタン３０を実施の形態１と同じ位置に配置してもよい。その場合は電源ボタン２９の位置も実施の形態１と同じでよい。
なお、実施の形態１では、コードリールが筐体の後部に配置されている（図４参照）。これに対し、この実施の形態ではコードリールが主車輪の横側に配置される。よって、この実施の形態による電気掃除機の本体の長さは、実施の形態１による本体長さよりもコードリールの分短くなる。しかし、本体の幅は、実施の形態１による本体幅よりもコードリールの分だけ広くなる。そして、幅が広くなった分だけ電気掃除機が旋回しても転倒しにくくなる。
【００３０】
（実施の形態３）
実施の形態１のものは、図４に示すように、いわゆる紙パック式であるが、この発明の本質はそれに限定されるものでなく、例えばサイクロン式の掃除機にも適用可能である。
【００３１】
以上に述べたように、
（i）この発明による電気掃除機は、平面状の天面部、前後左右を囲む平面視矩形状の側面部および前記側面部の一つの角から前記天面部に渡って切り欠かれた段差部を含む筐体と、先端に電源プラグを有するコードを引出し可能に前記筐体に収容するコード収容部と、前記コードを介して電源の供給を受けて動作する塵埃吸引部とを備え、前記段差部は、収容されたコードを引き出す開口部が形成され、前記コード収容部は、前記コードが収容された状態で前記電源プラグの先端部が平面視で前記側面部から外側へ飛び出ず、側面視で前記天面部から上方へ飛び出ずに前記切り欠きの領域内に収まるように電源プラグを収納することを特徴とする。
【００３２】
この発明において、側面部は、電気掃除機本体の筐体のうち側面を構成する部分である。
矩形は、若干の凹凸があるもの、角丸のもの、やや台形状のもの、辺が緩やかな曲線状のもの等なども広く含み、矩形を基調とした形状をいう。
平面状、即ち、略平坦であるとは、若干の凹凸や湾曲があっても面を基調としていることをいう。
例えば、図１Ａや図３Ａ、図３Ｂに示す電気掃除機の筐体側面は、主車輪２５が取り付けられる部分や後縁脚部１６の部分などに凹凸があり、下端部および上端部よりも中間部が張り出しているものの、直線を基調とし前後および左右の辺がそれぞれ平面視で略平行であることから略矩形の側面部である。また、天面部は左右の端がやや下方へ湾曲し、前端が下方へ湾曲しているが、平面状である。
【００３３】
また、例えば、図１Ａで天面部は上部筐体１４の上端面の部分とダストカバー１８とで構成される。電源ボタン２９や巻取ボタン３０の部分に凹凸があり、ダストカバー１８の前端部は下方に曲がっており、左端部と右端部よりも中央部がやや盛り上がるように若干湾曲しているものの、矩形を基調としているので矩形状といえる。ただし、後方右側が切り欠かれて段差部が形成されている。
【００３４】
段差部は、前記側面部の一つの角から前記天面部に渡って切り欠かれた部分である。
例えば、図１Ｂで、段差部６０は筐体側面の後方右側の角部の上端が切り欠かれて天面部が下方へ窪み、そこに電源プラグ５２が露出している部分である。なお、段差部の位置は天面部の後方右側に限定されず、筐体の角部であればどの位置にあってもよい。
段差部の崖部と底部とが交わる部分は、図１Ａに示すように湾曲して滑らかに交わってもよいが、そうでなくてもよい。また、底部は必ずしも平面状である必要はなく、曲線状でもよいし若干の凹凸があってもよい。
【００３５】
コード収容部は、電気掃除機を使用しないときにコードを筐体内に収容する部分である。その具体的な態様は、例えば図４および図５Ｂに示すコードリール５１である。
塵埃吸引部は、筐体の内部に収容されて塵埃を吸引し、吸引された塵埃を溜めるものである。その具体的な態様は、例えば、図４に示すモータユニット４０および集塵室１１ａにセットされるべき集塵袋である。ただし、図４に示すようないわゆる紙パック式の掃除機に限らず、サイクロン式の掃除機であってもよい。
【００３６】
さらに、この発明の好ましい態様について説明する。
（ii）前記天面部は、矩形状であるが後方の一つの角に切欠部のある形状の稜線を有し、前記段差部は、上端が前記切欠部で天面と交わる崖部と、その崖部の下端に連なり前記側面部と交わる底部からなり、前記崖部に前記コードを引き出す開口部が形成されていてもよい。
段差部は、前記切欠部の稜線から下方へ続き一部に開口部が形成された崖部と、前記側面部と交わる底部と、で構成される部分である。
【００３７】
（iii）前記開口部は、底部を介して前記筐体の左右何れかの側面に沿う方向の崖部に形成されてもよい。図５Ａに示されるような開口部の位置である。
この態様によれば、ユーザーは、切出し部に少なくとも先端が露出する電源プラグを掴んで左右何れかの方向にコードを引き出すことができ、また、コードを収納することができる。なお、切り出し部は、左右何れかの方向だけでなく、天面および筐体の後の側面に向けても開放されているのでそれらの方向にコードを引き出すことも可能である。
また、電気掃除機の後側が床面と対するように立てた状態でも、コードを引き出すことができる。
【００３８】
（iv）前記開口部は、底部を介して前記筐体の後側の側面に沿う方向の崖部に形成されてもよい。図６に示されるような開口部の位置である。
この態様によれば、ユーザーは、切出し部に少なくとも先端が露出する電源プラグを掴んで前記筐体の後方向にコードを引き出すことができる。なお、切り出し部は、後方向だけでなく天面および左右何れかの方向に向けても開放されているのでそれらの方向にコードを引き出すことができる。
【００３９】
（v）前記段差部は、前記崖部が側方部、前方部および後縁壁部からなり、前記側方部は底部を介して前記筐体の左右何れかの側面に沿う方向に延び、前記前方部は底部を介して前記筐体の後側の側面に沿う方向に延び、前記後縁壁部は前記側方部から前記筐体の後側の側面に沿って張り出して前記側面に向けて湾曲し終端していてもよい。
このようにすれば、掃除機本体の後側の側面が床面と接するように立った状態で後縁壁部が床面と電源プラグとを隔てているので、電源プラグが床面を傷つけるのを防止できる。
【００４０】
また、掃除機本体の後側の側面が床面と接した状態でバネの付勢力を利用してコードを筐体内に収容した場合に、後縁壁部が床面と電源プラグとを隔てているので、電源プラグが最後に跳ねても電源プラグが床面を傷つけるのを防止できる。
さらに、掃除機本体の後側の側面が床面と接した状態から、天面部の後縁でなく段差部が支点になって転倒する事態が万一生じた場合、後縁壁部があればその上端部が床面と接するので電源プラグが床面と接触して床面を傷つけるのを防止できる。
また、後方へコードを引き出す場合に後縁壁部の湾曲部に沿って滑らかにコードが引き出される。
【００４１】
（vi）前記側面部および前記天面部に係る矩形は、少なくとも段差部のある角が角丸であってもよい。
矩形の角を角丸にすることで、角の部分が接触して壁や床面を傷つけたり、人に痛い思いをさせたりするのを防止できる。
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【００４２】
１０：電気掃除機、    １１：下部筐体、    １１ａ：集塵室、    １２：排気口、    １４：上部筐体、    １４ａ：側縁部、    １４ｂ：後縁部、    １５：取っ手、    １６：後縁脚部、    １７：ダストパッキン、    １８：ダストカバー、    １９：パッキン、    ２０：本体吸込口、    ２１：接続パイプ、    ２５：主車輪、    ２６：補助車輪、    ２９：電源ボタン、    ３０：巻取ボタン、    ３１：崖部、    ３１ａ：前方部、    ３１ｂ：側方部、    ３１ｃ：後縁壁部、    ３２：コードホルダー、    ３３：底部、    ３４：開口部、    ３５：切欠部、    ４０：モータユニット、    ４１：電動送風機、    ４２ａ，４２ｂ：防振ゴム、    ４３：モーターケース、    ４４：前フィルター、    ４６：電源スイッチ、    ５１：コードリール、    ５２：電源プラグ、    ５３：排気フィルター、    ５５：巻取レバー、    ５６：巻取ボタンバネ、    ６０：段差部
【図１Ａ】
2017212680.tif 000003
【図１Ｂ】
2017212680.tif 000004
【図２】
2017212680.tif 000005
【図３Ａ】
2017212680.tif 000006
【図３Ｂ】
2017212680.tif 000007
【図４】
2017212680.tif 000008
【図５Ａ】
2017212680.tif 000009
【図５Ｂ】
2017212680.tif 000010
【図６】
2017212680.tif 000011
【図７Ａ】
2017212680.tif 000012
【図７Ｂ】
2017212680.tif 000013
【国際調査報告】
2017212680.tif 000014
2017212680.tif 000015
2017212680.tif 000016
2017212680.tif 000017